(57)【要約】【課題】時効処理時の昇温時間を短縮可能なシリンダブロックボア内局所冷却加熱装置を提供すること。【解決手段】少なくとも一つの耐熱バルーンを有し、当該耐熱バルーン内に、冷却水配管と、誘導コイルとが配置された、シリンダブロックボア内局所冷却加熱装置。【選択図】図１
2018178155.tif 000002
【特許請求の範囲】
【請求項１】
少なくとも一つの耐熱バルーンを有し、
当該耐熱バルーン内に、冷却水配管と、誘導コイルとが配置された、
シリンダブロックボア内局所冷却加熱装置。
【発明の詳細な説明】
【技術分野】
【０００１】
本発明は、シリンダブロックボア内局所冷却加熱装置に関する。
【背景技術】
【０００２】
アルミニウム合金シリンダブロックは、寸法安定化などを目的として、時効処理（Ｔ５処理）を行うことが知られている。
特許文献１には、当該時効処理として、シリンダブロックのボア内に高周波誘導加熱コイルを挿入して、高周波誘導加熱により加熱する方法が開示されている。
【先行技術文献】
【特許文献】
【０００３】
【特許文献１】特開２００５−９７７２３号公報
【発明の概要】
【発明が解決しようとする課題】
【０００４】
通常、アルミニウム合金シリンダブロックは、型により成形され、離型直後の粗材は高温となっている。一方、Ｔ５処理によって成形後の粗材の時効析出を進行させるためには、離型直後の粗材を冷却する必要がある。そのため現状は、離型直後の粗材全体を水没させて冷却することが行われている。粗材全体を水没させた場合、当該粗材全体が冷却されるため、その後Ｔ５処理時において、粗材を処理温度まで昇温するのに時間がかかるという問題があった。
【０００５】
本発明は上記実情に鑑みてなされたものであり、時効処理時の昇温時間を短縮可能なシリンダブロックボア内局所冷却加熱装置を提供することを目的とする。
【課題を解決するための手段】
【０００６】
本発明のシリンダブロックボア内局所冷却加熱装置は、
少なくとも一つの耐熱バルーンを有し、
当該耐熱バルーン内に、冷却水配管と、誘導コイルとが配置されたことを特徴とする。
【発明の効果】
【０００７】
本発明によれば、時効処理時の昇温時間を短縮可能なシリンダブロックボア内局所冷却加熱装置を提供することができる。
【図面の簡単な説明】
【０００８】
【図１】図１は、本発明のシリンダブロックボア内局所冷却加熱装置の一例を示す模式的な断面図である。
【図２】図２は、シリンダブロックの一例を示す模式的な斜視図である。
【図３】図３は、本発明のシリンダブロックボア内局所冷却加熱装置の使用方法の一例を示す模式的な断面図である。
【図４】図４は、本発明のシリンダブロックボア内局所冷却加熱装置の使用方法の一例を示すフローチャートである。
【発明を実施するための形態】
【０００９】
本発明のシリンダブロックボア内局所冷却加熱装置は、少なくとも一つの耐熱バルーンを有し、当該耐熱バルーン内に、冷却水配管と、誘導コイルとが配置されたことを特徴とする。
本発明のシリンダブロックボア内局所冷却加熱装置によれば、時効処理が必要なボア部表面付近のみを局所的に冷却し、また、加熱できるため、離型直後で高温となっている成形後の粗材全体の温度の低下を抑えながらボア部を局所的に冷却することができ、その結果、その後の時効処理のための昇温時間を短縮することができる。
以下このような本発明のシリンダブロックボア内局所冷却加熱装置の実施形態について図を参照して説明する。
【００１０】
図１の（Ａ）は、本発明のシリンダブロックボア内局所冷却加熱装置の一例を示す模式図であり、図１の（Ｂ）は耐熱バルーン１の模式的な断面図である。図１の例では、シリンダブロックボア内局所冷却加熱装置１０は、シリンダブロック５内に配置された状態である。なお、図１の断面は、後述する図２の例に示されるシリンダブロック５のボア部１１を通る断面である。
図１（Ａ）の例に示されるとおり、本発明のシリンダブロックボア内局所冷却加熱装置１０は、少なくとも一つの耐熱バルーン１を有し、当該耐熱バルーン１内に、冷却水配管３と、誘導コイル４とが配置されている。本発明において耐熱バルーンの数は、製造するシリンダブロックのボア部の数に対応するものであり、特に限定されるものではない。耐熱バルーン１が複数ある場合、複数ある耐熱バルーン１は、通常、支持体２を介して接続される。支持体２を介することにより、耐熱バルーンの相対的な位置関係が固定される。支持体２は、一例として、筒状の支持体であって、内部に耐熱バルーン１内の冷却水配管３と接続された配管と、誘導コイル４に接続された導線と、排水９のための配管とが挿通されている。
【００１１】
次いで、図１（Ｂ）を参照して耐熱バルーン１を説明する。耐熱バルーン１は少なくともＴ５処理温度以上の温度に対する耐熱性を有し、内圧により膨張する性質を有する。耐熱バルーン１内には、冷却水配管３と、誘導コイル４とが配置されている。冷却水配管３は耐熱バルーン１内に冷却水８を導入するためのものであり、配管の材質は特に限定されないが、一例として、非金属性材料とすることができる。また、誘導コイル４はボア部の内壁を誘導加熱するものである。
【００１２】
また、図２は、シリンダブロックの一例を示す模式的な斜視図である。図２の例に示されるとおり、シリンダブロック５はボア部１１を有する。図２の例ではシリンダブロック５は４つのボア部１１を有するが、ボア部１１の数は特に限定されるものではなく、用途等に応じて設計されるものである。ボア部１１の内壁は、ライナー７を有する（図１（Ｂ）参照）。本発明においてシリンダブロック５のその他の構成は、特に限定されず、シリンダブロックとして公知の構成を適宜選択して用いることができる。
【００１３】
次に、図３及び図４を参照して、本発明のシリンダブロックボア内局所冷却加熱装置の使用方法について説明する。
まず、成形されたシリンダブロック５を離型する（Ｓ１）。このとき離型直後の粗材は高温となっている。次いで、本発明のシリンダブロックボア内局所冷却加熱装置の耐熱バルーン１をボア部１１内に挿入する（Ｓ２）。図３（Ａ）に示されるように、シリンダブロックボア内局所冷却加熱装置１０の耐熱バルーン１の位置にあわせてシリンダブロック５のボア部１１を配置すれば容易に挿入することができる。挿入後の状態を図３（Ｂ）に示す。次いで、冷却水配管３を通じて冷却水８を流す（Ｓ３）。このとき耐熱バルーン１は冷却水８により膨張しボア部１１の内壁に密着する（Ｓ４）。これにより、耐熱バルーン１を介してボア部の内壁と冷却水８とが熱交換が促進されて、ボア部の内壁が冷却される。また温度の上昇した排水９は、耐熱バルーン１の上部などから排出される。ボア部内壁の冷却後、誘導コイル４に電流を流す（Ｓ５）。これにより、ライナー７が誘導加熱される（Ｓ６）。ライナーが目的温度に到達後、誘導コイルへの通電を停止し（Ｓ７）、冷却水の循環を停止する。最後に本発明のシリンダブロックボア内局所冷却加熱装置をボア内から引き抜くことで、時効処理が完了する（Ｓ８）。このように本発明のシリンダブロックボア内局所冷却加熱装置によれば、ボア内を局所的に冷却し加熱することができるため、時効処理時の昇温時間を短縮することが可能である。
【符号の説明】
【００１４】
１    耐熱バルーン
２    支持体
３    冷却水配管
４    誘導コイル
５    シリンダブロック
６    粗材
７    ライナー
８    冷却水
９    排水
１０  シリンダブロックボア内局所冷却加熱装置
１１  ボア部
【図１】
2018178155.tif 000003
【図２】
2018178155.tif 000004
【図３】
2018178155.tif 000005
【図４】
2018178155.tif 000006